(57)【要約】      （修正有）【課題】市販のマスクに取り付け可能で、高い粒子捕集効果を発揮しながら、マスク内の蒸れやベタ付きによる不快感を低減するマスク用呼気排出具を提供する。【解決手段】マスクの内側下端部に貼着して使用するマスク用呼気排出具１であって、マスク用呼気排出具１は変形自在の形状記憶機能を有する薄板からなり、薄板の片面中央部の所定範囲に貼着手段１ｂ、１ｃを備え、マスク用呼気排出具１は長手方向両端部に設けたＶ溝１ａを内側に折り返し丸めた後にマスクの内側下端部の左右方向中央部に貼着し、マスク試着後にマスク用呼気排出具１の中央部近傍をマスク生地から呼気排出可能な空間を確保すべく湾曲させ、さらにマスク用呼気排出具１の長手方向両端部近傍をマスク着用者の顎に負荷なく接する程度に変形させた形状とする。【選択図】図１
0003228944.tif 000002
【実用新案登録請求の範囲】
【請求項１】
マスクの内側下端部に貼着して使用するマスク用呼気排出具であって、前記マスク用呼気排出具は変形自在の形状記憶機能を有する薄板からなり、前記薄板の片面中央部の所定範囲に貼着手段を備えたことを特徴とするマスク用呼気排出具。
【請求項２】
前記薄板の前記貼着手段を備えた面側の長手方向両端部から所定位置に、折り返し容易なＶ溝を前記薄板の全幅にわたり設けていることを特徴とする請求項１記載のマスク用呼気排出具。
【請求項３】
前記貼着手段は、面ファスナーあるいは両面テープの何れか一つであることを特徴とする請求項１又は２記載のマスク用呼気排出具。
【請求項４】
請求項１〜請求項３何れか１項に記載のマスク用呼気排出具は、長手方向両端部に設けたＶ溝を内側に折り返し丸めた後にマスクの内側下端部の左右方向中央部に貼着し、該マスク試着後に前記マスク用呼気排出具の中央部近傍をマスク生地から呼気排出可能な空間を確保すべく湾曲させ、さらに前記マスク用呼気排出具の長手方向両端部近傍をマスク着用者の顎に負荷なく接する程度に変形させた形状であることを特徴とするマスク用呼気排出具。
【考案の詳細な説明】
【技術分野】
【０００１】  本考案はマスクに関する。さらに詳しくは、着用時の蒸れやベタ付きによる不快感を低減させるマスク用呼気排出具に関する。
【背景技術】
【０００２】  花粉症やウイルス感染対策として最近では季節を問わずマスクの着用が日常化されつつあり、特に夏場など暑い環境下での着用は息苦しくさらにマスク内の蒸れやベタ付きを生じる。
【先行技術文献】
【特許文献】
【０００３】
【特許文献１】特開２００１−２９４９３号公報
【特許文献２】特開２０００−２７９５３７号公報
【考案の概要】
【考案が解決しようとする課題】
【０００４】  上述のように夏場など暑い環境下での長時間のマスクの着用は息苦しくマスク内の蒸れやベタ付きを生じるため不快感が強く、また最近では粒子捕集効果を向上させるため目の細かい高密度の素材を使用した高機能のマスクが多用される傾向があり、この場合は通気性が悪くなるため前述の蒸れやベタ付きに加え体温の上昇やメガネの曇りなどさらに不快を感じるという問題があった。
このため、例えば特許文献１及び特許文献２に示すようなマスク用の蒸れ防止用具が開発されているが、専用のマスクやシートが必要であり日常的に使用される市販マスクに対応できるものではないため利便性や実用面に難があった。
本考案は、上記課題を解決するため、市販の不織布マスクに取り付け、高い粒子捕集効果を発揮しながら、マスク内の蒸れやベタ付きによる不快感を低減しうるマスク用呼気排出具を提供することを目的とする。
【課題を解決するための手段】
【０００５】  本考案のマスク用呼気排出具は、マスクの内側下端部に貼着して使用するマスク用呼気排出具であって、前記呼気排出具は変形自在の形状記憶機能を有する薄板からなり、前記薄板の片面中央部の所定範囲に貼着手段を備えたことを特徴としている。
また、本考案のマスク用呼気排出具は、請求項４に記載のように、長手方向両端部に設けたＶ溝を内側に折り返し丸めた後にマスクの内側下端部の左右方向中央部に貼着し、該マスク試着後に前記マスク用呼気排出具の中央部近傍をマスク生地から呼気排出可能な空間を確保すべく湾曲させ、さらに前記マスク用呼気排出具の長手方向両端部近傍をマスク着用者の顎に負荷なく接する程度に変形させた形状で使用することを特徴とする。
【考案の効果】
【０００６】  本考案のマスク用呼気排出具を使用すれば、喉もとの排気口より呼気を外部に逃がすので、呼吸しやすくマスク内側が蒸れてベタつくことによる不快感がなくなり、快適に着用することができる。また、市販マスクに簡易に取り付けできるため利便性や実用性が良くコストパフォーマンスが高い。
【図面の簡単な説明】
【０００７】
【図１】本考案に係るマスク用呼気排出具（湾曲変形前）を示し、Ａは正面図、Ｂは平面図、Ｃは右側面図、ＤはＶ溝部を内側に折り曲げた状態を示す図である。
【図２】本考案に係るマスク用呼気排出具をマスクの内側下端部に貼着した状態（湾曲変形前）を示す図である。
【図３】本考案に係るマスク用呼気排出具の使用状態（湾曲変形後）を示す平面図である。
【図４】本考案に係るマスク用呼気排出具を取り付けたマスクを着用した状態を示す図である。
【考案を実施するための形態】
【０００８】  以下、本考案に係るマスク用呼気排出具の実施の形態について図１〜図４に基づいて説明する。
【０００９】  本考案に係るマスク用呼気排出具１は、図１に示すように、変形自在の形状記憶機能を有する薄板の片面の中央部に薄板の全長の概ね２／３〜４／５の長さで薄板全幅にわたり面ファスナー１ｂあるいは両面粘着テープ１ｃを貼り付け、さらにこの面と同じ面側の薄板の長手方向両端近傍には端部から５ｍｍ〜１５ｍｍの位置に指で折り返しを容易に行える程度の深さのＶ溝１ａを薄板全幅に設けている。
マスク用呼気排出具１は、図２に示すように、マスク２の着用者側からみて内側の下端部２ａの左右方向中央部に貼着して使用するが、貼着前には図１のＤに示すように両端部近傍に設置されたＶ溝１ａを内側に折り曲げる作業を要する。
【００１０】  マスク内側下端部２ａに貼着されたマスク用呼気排出具１は、マスク試着後にマスク用呼気排出具１の中央部近傍をマスク生地から呼気排出可能な空間として喉もとに排気口を確保すべく指で湾曲させ、さらにマスク用呼気排出具１の長手方向の両端部近傍をマスク着用者の顎に負荷なく接する程度に変形させた形状で使用する。
マスク用呼気排出具１の湾曲変形後の平面形状を図３に示しているが、この湾曲変形作業の慣れないうちは試行錯誤を要する場合もある。
【００１１】  本考案のマスク用呼気排出具を使用すれば、喉もとの排気口からの呼気の流れ３により呼気を外部に逃がすので、呼吸しやすくマスク内側が蒸れてベタつくことによる不快感がなくなり、快適に着用することができる。（図４参照）
【００１２】  本考案で使用するマスク用呼気排出具１は、長さ１００ｍｍ〜１５０ｍｍ、幅５ｍｍ〜１２ｍｍ、板厚０．３ｍｍ〜１．０ｍｍのサイズが効果的あり、また、材質は鋼板、アルミ、ポリエチレンなど形状記憶機能を有するものであれば特に問わない。
【符号の説明】
【００１３】１    マスク用呼気排出具（薄板）
１ａ  Ｖ溝
１ｂ  面ファスナー（貼着手段）
１ｃ  両面粘着テープ（貼着手段）
２    マスク
２ａ  マスク内側下端部
３    呼気の流れ
【図１】
0003228944.tif 000003
【図２】
0003228944.tif 000004
【図３】
0003228944.tif 000005
【図４】
0003228944.tif 000006